(57)【要約】      （修正有）【課題】コンテンツ配信サーバ装置が異常状態にあることをコンテンツ選択画面およびコンテンツ表示画面においてユーザに容易に把握させることが可能なコンテンツ配信サーバ装置およびコンテンツ配信システムを提供する。【解決手段】このハードディスクレコーダ（コンテンツ配信サーバ装置）１０１は、コンテンツデータを記憶する内部記憶部１１と、通信ネットワークを介してコンテンツデータをテレビジョン装置１０２に配信する通信部１２と、異常状態に関する通知用ファイル４０を作成して、通信ネットワーク内におけるテレビジョン装置１０２側のコンテンツ選択画面により、コンテンツデータのコンテンツ名とともに通知用ファイル４０を参照可能なように内部記憶部１０に記憶させる制御部１３とを備える。【選択図】図２
2015226093.tif 000002
【特許請求の範囲】
【請求項１】
コンテンツデータを記憶する記憶部と、
通信ネットワークを介して前記コンテンツデータを再生機器に配信する通信部と、
異常状態に関する通知用メッセージを作成して、前記通信ネットワーク内における前記再生機器側のコンテンツ選択画面またはコンテンツ表示画面により、前記コンテンツデータのコンテンツ名とともに前記通知用メッセージを参照可能なように前記記憶部に記憶させる制御部とを備える、コンテンツ配信サーバ装置。
【請求項２】
前記異常状態に関する前記通知用メッセージは、前記再生機器への前記コンテンツデータの配信が制限される配信制限状態、および、前記記憶部への前記コンテンツデータの記憶が制限される記憶制限状態のうちの少なくとも一方に関する前記通知用メッセージを含む、請求項１に記載のコンテンツ配信サーバ装置。
【請求項３】
前記制御部は、前記通知用メッセージを作成し、前記記憶部に記憶させている場合において、前記異常状態に該当しなくなったと判断した場合には、前記通知用メッセージを消去するように構成されている、請求項１または２に記載のコンテンツ配信サーバ装置。
【請求項４】
前記通知用メッセージは、通知用ファイルを含み、
前記通知用ファイルは、画像ファイル、音声ファイル、動画ファイルおよびテキストファイルのうちの少なくとも１つからなる、請求項１〜３のいずれか１項に記載のコンテンツ配信サーバ装置。
【請求項５】
前記記憶部は、前記画像ファイル、前記音声ファイル、前記動画ファイルおよび前記テキストファイルをそれぞれ格納する画像フォルダ、音声フォルダ、動画フォルダおよびテキストフォルダを、ルートフォルダ内に有し、
前記画像フォルダ、前記音声フォルダ、前記動画フォルダおよび前記テキストフォルダには、前記通知用ファイルが格納されている、請求項４に記載のコンテンツ配信サーバ装置。
【請求項６】
放送番組を受信する受信部をさらに備え、
前記制御部は、前記受信部において受信した放送番組の前記コンテンツデータを前記記憶部に記憶させるとともに、前記通知用メッセージの前記異常状態に関する情報を、前記受信部より受信された放送番組の番組表を選択することにより表示される番組情報と共に参照可能なように前記記憶部に記憶させるように構成されている、請求項１〜３のいずれか１項に記載のコンテンツ配信サーバ装置。
【請求項７】
前記コンテンツ配信サーバ装置は、ＤＬＮＡ規格に準拠しており、
前記制御部は、前記ＤＬＮＡ規格に準拠した前記再生機器としてのディジタルメディアプレーヤと、デジタルメディアコントローラにより操作される前記再生機器としてのデジタルメディアレンダラとにより前記通知用メッセージを参照可能なように、前記通知用メッセージを前記記憶部に記憶させるように構成されている、請求項１〜６のいずれか１項に記載のコンテンツ配信サーバ装置。
【請求項８】
再生機器と、
コンテンツ配信サーバ装置とを備え、
前記コンテンツ配信サーバ装置は、
コンテンツデータを記憶する記憶部と、
通信ネットワークを介して前記コンテンツデータを前記再生機器に配信する通信部と、
異常状態に関する通知用メッセージを作成して、前記通信ネットワーク内における前記再生機器側のコンテンツ選択画面またはコンテンツ表示画面により、前記コンテンツ名とともに前記通知用メッセージを参照可能なように前記記憶部に記憶させる制御部とを含む、コンテンツ配信システム。
【請求項９】
前記コンテンツ配信サーバ装置および前記再生機器は、共に、ＤＬＮＡ規格に準拠しており、
前記制御部は、前記再生機器としてのディジタルメディアプレーヤと、デジタルメディアコントローラにより操作される前記再生機器としてのデジタルメディアレンダラとのうちの少なくとも一方により前記通知用メッセージを参照可能なように、前記通知用メッセージを前記記憶部に記憶させるように構成されている、請求項８に記載のコンテンツ配信システム。
【発明の詳細な説明】
【技術分野】
【０００１】
この発明は、コンテンツ配信サーバ装置およびコンテンツ配信システムに関し、特に、記憶部に記憶されたコンテンツデータを再生機器に配信するコンテンツ配信サーバ装置およびコンテンツ配信システムに関する。
【背景技術】
【０００２】
従来、記憶部に記憶されたコンテンツデータを再生機器に配信するコンテンツ配信サーバ装置が知られている（たとえば、特許文献１参照）。
【０００３】
上記特許文献１には、コンテンツデータを記憶する記憶部と、通信ネットワークを介してコンテンツデータを再生機器に配信する通信部と、通信ネットワークに公開（再生機器などに表示）されるサーバ名をコンテンツ配信サーバ装置の異常状態に応じて変更する制御部とを備えたコンテンツ配信サーバ装置が開示されている。このコンテンツ配信サーバ装置では、変更されたサーバ名が再生機器に表示されることにより、コンテンツ配信サーバ装置が異常状態にあることを、再生機器を使用するユーザに把握させることが可能である。たとえば、コンテンツ配信サーバ装置は、通常状態ではサーバ名を「ｓｅｒｖｅｒ１」とし、異常状態ではサーバ名を「ｓｅｒｖｅｒ１＿ｂｕｓｙ」に変更するように構成されている。なお、異常状態とは、再生機器への配信が制限される状態などである。
【先行技術文献】
【特許文献】
【０００４】
【特許文献１】特開２０１３−１３０４０号公報
【発明の概要】
【発明が解決しようとする課題】
【０００５】
しかしながら、上記特許文献１では、再生機器がルートフォルダ（再生機器のサーバリスト画面において、所定のサーバが選択された場合に、再生機器の表示画面に最初に表示される根本（ルート）のフォルダ）を表示している場合、表示画面にサーバ名が表示される一方、ルートフォルダの下位フォルダ（記憶されたコンテンツデータを表示、選択するためのルートフォルダの下の階層のフォルダ）を開くことにより表示されるコンテンツ選択画面（コンテンツのリストからコンテンツを選択する画面）およびコンテンツ表示画面（コンテンツの情報が表示される画面）には、再生機器によってはサーバ名が表示されない場合があるという不都合がある。その結果、変更されたサーバ名により、コンテンツ配信サーバ装置が異常状態にあることをコンテンツ選択画面およびコンテンツ表示画面においてユーザに把握させることが困難であるという問題点がある。また、サーバ名が表示されたとしても、サーバの名称自体を変更する手法では、サーバ名が変更されたことにユーザが気付きにくいという問題点もある。
【０００６】
この発明は、上記のような課題を解決するためになされたものであり、この発明の１つの目的は、コンテンツ配信サーバ装置が異常状態にあることをコンテンツ選択画面およびコンテンツ表示画面においてユーザに容易に把握させることが可能なコンテンツ配信サーバ装置およびコンテンツ配信システムを提供することである。
【課題を解決するための手段】
【０００７】
この発明の第１の局面によるコンテンツ配信サーバ装置は、コンテンツデータを記憶する記憶部と、通信ネットワークを介してコンテンツデータを再生機器に配信する通信部と、異常状態に関する通知用メッセージを作成して、通信ネットワーク内における再生機器側のコンテンツ選択画面またはコンテンツ表示画面により、コンテンツデータのコンテンツ名とともに通知用メッセージを参照可能なように記憶部に記憶させる制御部とを備える。
【０００８】
この発明の第１の局面によるコンテンツ配信サーバ装置では、上記のように、制御部により、コンテンツ配信サーバ装置の異常状態に関する通知用メッセージを作成して、通信ネットワーク内における再生機器側のコンテンツ選択画面またはコンテンツ表示画面により、コンテンツデータのコンテンツ名とともに通知用メッセージを参照可能なように記憶部に記憶する。これにより、再生機器によりコンテンツデータを再生する場合に、ユーザは、コンテンツ名を参照（コンテンツを再生）するためにコンテンツ選択画面またはコンテンツ表示画面を必ず表示させるので、再生機器の操作時においてユーザに頻繁に視認される画面に、通知用メッセージを表示させることができる。その結果、コンテンツデータの再生操作前に、ユーザに通知用メッセージを参照させることができるので、コンテンツ配信サーバ装置が異常状態にあることをコンテンツ選択画面およびコンテンツ表示画面においてユーザに把握させることができる。また、従来のようにサーバ名を変更する場合と異なり、独立したメッセージとして表示させることによって、ユーザに気付きやすくすることができるので、コンテンツ配信サーバ装置が異常状態にあることをユーザに容易に把握させることができる。
【０００９】
また、第１の局面によるコンテンツ配信サーバ装置において、好ましくは、異常状態に関する通知用メッセージは、再生機器へのコンテンツデータの配信が制限される配信制限状態、および、記憶部へのコンテンツデータの記憶が制限される記憶制限状態のうちの少なくとも一方に関する通知用メッセージを含む。このように構成すれば、ユーザに具体的な問題点を把握させることができるので、ユーザに種々の異常状態に応じた適切な対応を取らせることができる。
【００１０】
また、第１の局面によるコンテンツ配信サーバ装置において、好ましくは、制御部は、通知用メッセージを作成し、記憶部に記憶させている場合において、異常状態に該当しなくなったと判断した場合には、通知用メッセージを消去するように構成されている。このように構成すれば、異常状態に該当しない場合において、通知用メッセージが記憶部に記憶されている（残されている）ことがなくなるので、異常状態が解消したにもかかわらず、ユーザに誤って異常状態にあると認識させることを防止することができる。
【００１１】
また、第１の局面によるコンテンツ配信サーバ装置において、好ましくは、通知用メッセージは、通知用ファイルを含み、通知用ファイルは、画像ファイル、音声ファイル、動画ファイルおよびテキストファイルのうちの少なくとも１つからなる。このように構成すれば、再生機器で一般に再生可能なコンテンツデータと同じファイル形式で通知用メッセージを作成することができる。この結果、コンテンツ配信サーバ装置に対して対応可能な再生機器を限定することなく、ユーザに通知用ファイルを参照させることができる。
【００１２】
この場合、好ましくは、記憶部は、画像ファイル、音声ファイル、動画ファイルおよびテキストファイルをそれぞれ格納する画像フォルダ、音声フォルダ、動画フォルダおよびテキストフォルダを、ルートフォルダ内に有し、画像フォルダ、音声フォルダ、動画フォルダおよびテキストフォルダには、通知用ファイルが格納されている。このように構成すれば、各種形式のファイルが各種フォルダに分類される場合でも、コンテンツ選択画面において、通知用ファイルを他のコンテンツデータと共に参照させることができる。
【００１３】
また、第１の局面によるコンテンツ配信サーバ装置において、好ましくは、放送番組を受信する受信部をさらに備え、制御部は、受信部において受信した放送番組のコンテンツデータを記憶部に記憶させるとともに、通知用メッセージの異常状態に関する情報を、受信部より受信された放送番組の番組表を選択することにより表示される番組情報と共に参照可能なように記憶部に記憶させるように構成されている。このように構成すれば、番組表を選択することにより、番組情報を参照させることができるとともに、コンテンツ配信サーバ装置が異常状態にあることをコンテンツ表示画面においてユーザに把握させることができる。
【００１４】
また、第１の局面によるコンテンツ配信サーバ装置において、好ましくは、コンテンツ配信サーバ装置は、ＤＬＮＡ規格に準拠しており、制御部は、ＤＬＮＡ規格に準拠した再生機器としてのディジタルメディアプレーヤと、デジタルメディアコントローラにより操作される再生機器としてのデジタルメディアレンダラとにより通知用メッセージを参照可能なように、通知用メッセージを記憶部に記憶させるように構成されている。このように構成すれば、ＤＬＮＡ規格に対応する多様な再生機器により通知用メッセージをユーザに参照させることができる。
【００１５】
この発明の第２の局面によるコンテンツ配信システムは、再生機器と、コンテンツ配信サーバ装置とを備え、コンテンツ配信サーバ装置は、コンテンツデータを記憶する記憶部と、通信ネットワークを介してコンテンツデータを再生機器に配信する通信部と、異常状態に関する通知用メッセージを作成して、通信ネットワーク内における再生機器側のコンテンツ選択画面またはコンテンツ表示画面により、コンテンツ名とともに通知用メッセージを参照可能なように記憶部に記憶させる制御部とを含む。
【００１６】
また、第２の局面によるコンテンツ配信システムでは、上記のように、制御部により、コンテンツ配信サーバ装置の異常状態に関する通知用メッセージを作成して、通信ネットワーク内における再生機器側のコンテンツ選択画面またはコンテンツ表示画面により、コンテンツデータのコンテンツ名とともに通知用メッセージを参照可能なように記憶部に記憶する。これにより、再生機器によりコンテンツデータを再生する場合に、ユーザは、コンテンツ名を参照（コンテンツを再生）するためにコンテンツ選択画面またはコンテンツ表示画面を必ず表示させるので、再生機器の操作時においてユーザに頻繁に視認される画面に、通知用メッセージを表示させることができる。その結果、コンテンツデータの再生操作前に、ユーザに通知用メッセージを参照させることができるので、コンテンツ配信サーバ装置が異常状態にあることをコンテンツ選択画面およびコンテンツ表示画面においてユーザに把握させることができる。また、従来のようにサーバ名を変更する場合と異なり、独立したメッセージとして表示させることによって、ユーザに気付きやすくすることができるので、コンテンツ配信サーバ装置が異常状態にあることをユーザに容易に把握させることができる。
【００１７】
また、第２の局面によるコンテンツ配信システムにおいて、好ましくは、コンテンツ配信サーバ装置および再生機器は、共に、ＤＬＮＡ規格に準拠しており、制御部は、再生機器としてのディジタルメディアプレーヤと、デジタルメディアコントローラにより操作される再生機器としてのデジタルメディアレンダラとのうちの少なくとも一方により通知用メッセージを参照可能なように、通知用メッセージを記憶部に記憶させるように構成されている。このように構成すれば、ＤＬＮＡ規格に対応する多様な再生機器により通知用メッセージをユーザに参照させることができる。
【発明の効果】
【００１８】
本発明によれば、上記のように、コンテンツ配信サーバ装置が異常状態にあることをコンテンツ選択画面およびコンテンツ表示画面においてユーザに容易に把握させることが可能なコンテンツ配信サーバ装置およびコンテンツ配信システムを提供することができる。
【図面の簡単な説明】
【００１９】
【図１】本発明の第１および第２実施形態によるコンテンツ配信システムの全体構成を示す図である。
【図２】本発明の第１および第２実施形態によるコンテンツ配信システムの全体構成を示すブロック図である。
【図３】本発明の第１実施形態によるコンテンツ配信システムの内部記憶部の構成を示すブロック図である。
【図４】ルートフォルダ内の表示画面を示した図である。
【図５】動画フォルダ内のコンテンツ選択画面を示した図である。
【図６】テキストフォルダ内のコンテンツ選択画面を示した図である。
【図７】音声フォルダ内のコンテンツ選択画面を示した図である。
【図８】画像フォルダ内のコンテンツ選択画面を示した図である。
【図９】本発明の第１実施形態によるコンテンツ配信システムの通知用ファイルの内容を示した図である。
【図１０】本発明の第１実施形態によるコンテンツ配信システムの制御部の通知用ファイルの作成処理および消去処理を説明するためのフローチャートである。
【図１１】本発明の第１および２実施形態によるコンテンツ配信システムの電子番組表の表示画面を示した図である。
【図１２】本発明の第２実施形態によるコンテンツ配信システムのコンテンツ表示画面を示した図である。
【図１３】本発明の第３実施形態によるコンテンツ配信システムの全体構成を示す図である。
【図１４】本発明の第３実施形態によるコンテンツ配信システムの全体構成を示すブロック図である。
【発明を実施するための形態】
【００２０】
以下、本発明の実施形態を図面に基づいて説明する。
【００２１】
（第１実施形態）
図１〜図１１を参照して、本発明の第１実施形態によるコンテンツ配信システム１００の構成について説明する。
【００２２】
本発明の第１実施形態によるコンテンツ配信システム１００は、図１に示すように、ハードディスクレコーダ１０１と、テレビジョン装置１０２とを備えている。なお、ハードディスクレコーダ１０１は、本発明の「コンテンツ配信サーバ装置」の一例である。また、テレビジョン装置１０２は、本発明の「再生機器」の一例である。
【００２３】
これらのハードディスクレコーダ１０１およびテレビジョン装置１０２は、共に、ＤＬＮＡ（Ｄｉｇｉｔａｌ  Ｌｉｖｉｎｇ  Ｎｅｔｗｏｒｋ  Ａｌｌｉａｎｃｅ）規格に準拠している。また、ハードディスクレコーダ１０１は、ネットワーク内において、ディジタルメディアサーバ（ＤＭＳ）として機能する。また、テレビジョン装置１０２は、ネットワーク内において、ディジタルメディアプレーヤプレーヤ（ＤＭＰ）として機能する。
【００２４】
また、ハードディスクレコーダ１０１は、放送番組の録画機能として、通常録画機能と、自動録画機能とを有している。通常録画機能とは、ユーザ指定の放送番組を録画する機能のことである。また、自動録画機能とは、ユーザの自動録画設定に基づき所定時間帯の所定チャンネルの放送番組を自動的に全て録画する機能のことである。
【００２５】
まず、テレビジョン装置１０２について簡単に説明する。テレビジョン装置１０２は、表示画面１０２ａと、スピーカ１０２ｂとを備えている。また、表示画面１０２ａは、ハードディスクレコーダ１０１から配信されたコンテンツデータに基づいて、動画や画像を出力（再生）するように構成されている。また、テレビジョン装置１０２は、無線ＬＡＮ（Ｌｏｃａｌ  Ａｒｅａ  Ｎｅｔｗｏｒｋ）によりハードディスクレコーダ１０１と通信可能に構成されている。なお、無線ＬＡＮは、本発明の「通信ネットワーク」の一例である。
【００２６】
次に、ハードディスクレコーダ１０１の主要な構成について説明する。
【００２７】
ハードディスクレコーダ１０１は、受信部１０と、内部記憶部１１と、通信部１２と、制御部１３とを備えている。
【００２８】
図２に示すように、受信部１０は、チューナを含み、放送番組を受信するように構成されている。また、受信部１０は、複数（２つ）設けられている。また、２つの受信部１０は、それぞれ、放送番組に関するコンテンツデータ（映像データおよび音声データ）および電子番組表７０（図１１参照）を構成する番組情報を含む放送波を受信するように構成されている。なお、電子番組表７０を構成する番組情報には、放送番組の開始終了時刻および番組名などの情報が含まれている。また、電子番組表７０は、本発明の「番組表」の一例である。
【００２９】
内部記憶部１１は、受信部１０により受信された放送番組を録画（記憶）するように構成されている。また、内部記憶部１１は、図３に示すように、４つメディア形式の異なるコンテンツファイル３１ａ、３２ａ、３３ａおよび３４ａがそれぞれ格納される４つのフォルダ３１〜３４をルートフォルダ３０内に有している。詳細には、内部記憶部１１は、テキストコンテンツファイル３１ａ、音声コンテンツファイル３２ａ、動画コンテンツファイル３３ａおよび画像コンテンツファイル３４ａなどを、それぞれ格納するテキストフォルダ（お知らせ）３１、音声フォルダ（Ａｕｄｉｏ）３２、動画フォルダ（Ｖｉｄｅｏ）３３および画像フォルダ（Ｐｈｏｔｏ）３４を、ルートフォルダ３０内に有している。
【００３０】
なお、ルートフォルダ３０とは、図示しないサーバリスト画面において、サーバであるハードディスクレコーダ１０１が選択された場合に、最初に、テレビジョン装置１０２の表示画面１０２ａに表示される根本（ルート）のフォルダのことをいう。
【００３１】
図２に示すように、通信部１２は、無線ＬＡＮにより、テレビジョン装置１０２の通信部（図示せず）と通信可能に接続されている。また、通信部１２は、無線ＬＡＮにより、内部記憶部１１に録画（記憶）されたコンテンツデータ（映像データおよび音声データ）をテレビジョン装置１０２に配信するように構成されている。また、通信部１２は、コンテンツデータをテレビジョン装置１０２に配信する。これにより、テレビジョン装置１０２では、表示画面１０２ａに映像を表示させるとともに、スピーカ１０２ｂから音声を出力させることが可能である。
【００３２】
ここで、第１実施形態では、制御部１３は、ハードディスクレコーダ１０１の異常状態に関する通知用ファイル４０（４０ａ〜４０ｅ）を作成するように構成されている。
【００３３】
通知用ファイル４０とは、テレビジョン装置１０２を操作するユーザに対し、ハードディスクレコーダ１０１に何らかの異常状態があることを把握させるための通知である。また、通知用ファイル４０は、テレビジョン装置１０２へのコンテンツデータの配信が制限される配信制限状態、および、内部記憶部１１へのコンテンツデータの記憶が制限される記憶制限状態に関するファイルを含んでいる。
【００３４】
配信制限状態とは、たとえば、ハードディスクレコーダ１０１の同時配信が可能な再生機器の上限が所定数に設定されている場合において、既に所定数の再生機器にコンテンツデータを配信をしているため、他の再生機器への配信が制限される状態である。また、記憶制限状態とは、たとえば、再生機器への配信制限の有無にかかわらず、内部記憶部１１の記憶可能容量の略上限に達したため、これ以上の内部記憶部１１への録画（記憶）が制限される状態である。また、後述する外部記憶装置９１が制御部１３によって何らかの要因で認識されなくなった状態も記憶制限状態に該当する。
【００３５】
また、第１実施形態では、制御部１３は、通知用ファイル４０を、通信ネットワーク内におけるテレビジョン装置１０２のコンテンツ選択画面５０により、コンテンツデータの録画されたコンテンツデータのコンテンツ名とともに、参照可能なように内部記憶部１１に録画（記憶）させるように構成されている。なお、コンテンツ選択画面５０とは、コンテンツデータの一覧がリスト形式で表示される画面のことである。また、制御部１３は、通知用ファイル４０を、ユーザに視認されやすいように、リストの中で一番上側の位置に配置するように構成されている。
【００３６】
詳細には、通知用ファイル４０（４０ａ〜４０ｅ）は、テキストファイル（形式）、音声ファイル（形式）、動画ファイル（形式）および画像ファイル（形式）からなる。すなわち、制御部１３は、複数（４種類）の通知用ファイル４０を各種形式で再生可能なように作成するように構成されている。また、図３および図４に示すように、制御部１３は、内部記憶部１１のテキストフォルダ（お知らせ）３１、音声フォルダ（Ａｕｄｉｏ）３２、動画フォルダ（Ｖｉｄｅｏ）３３および画像フォルダ（Ｐｈｏｔｏ）３４内に、それぞれ、通知用ファイル４０を格納させる。
【００３７】
また、通知用ファイル４０は、ルートフォルダ３０内の全ての下位フォルダに格納される。すなわち、テキストフォルダ（お知らせ）３１、音声フォルダ（Ａｕｄｉｏ）３２、動画フォルダ（Ｖｉｄｅｏ）３３または画像フォルダ（Ｐｈｏｔｏ）３４内にさらに下位フォルダがある場合には、その下位フォルダ内にも通知用ファイル４０を格納する。具体的には、図５に示すように、動画フォルダ（Ｖｉｄｅｏ）３３のさらに下位フォルダであるフォルダ（Ｍｏｖｉｅ）３３ｂ内にも通知用ファイル４０ｄが格納される。
【００３８】
また、図４に示すように、制御部１３（図２参照）は、通知用ファイル４０（図２参照）を作成した場合には、ルートフォルダ３０内のテキストフォルダ（お知らせ）名を変更するように構成されている。たとえば、テレビジョン装置１０２の表示画面１０２ａにテキストフォルダ名が、「お知らせ」と表示されている（図示せず）のを、「お知らせ＿ＮＥＷ」と表示されるように変更するように構成されている。
【００３９】
また、制御部１３は、それぞれ、通知用ファイル４０が格納されるテキストフォルダ（お知らせ）３１、音声フォルダ（Ａｕｄｉｏ）３２、動画フォルダ（Ｖｉｄｅｏ）３３および画像フォルダ（Ｐｈｏｔｏ）３４のいずれかのフォルダが開かれた場合には、テキストフォルダ名を元に戻すように構成されている。すなわち、制御部１３は、変更された通知用ファイル名が、初めてユーザに視認される状態となった場合には、テキストフォルダ名を元の「お知らせ」に戻すように構成されている。
【００４０】
なお、図２に示すように、制御部１３は、内部記憶部１１に通知用ファイル４０を記憶させるのみであり、能動的に通知用ファイル４０をテレビジョン装置１０２に配信させることはない。すなわち、ハードディスクレコーダ１０１からテレビジョン装置１０２に、通知用ファイル４０がいわゆるプッシュ通知として配信されることはない。
【００４１】
また、図５〜図８に示すように、通知用ファイル４０は、ハードディスクレコーダ１０１の異常状態を示す簡易な情報が含まれた通知用ファイル名で作成される。たとえば、通知用ファイル４０は、「お知らせ＿記憶容量が一杯になりました。」、「お知らせ＿外部記憶装置が認識できなくなりました。」または「お知らせ＿ＩＰ：ｘｘｘ．ｘｘｘ．ｘｘｘ．ｘｘｘ．に配信中。よって、配信制限中。」などの通知用ファイル名で作成される。なお、図５には、複数の動画コンテンツファイル３３ａと、Ｍｏｖｉｅ（フォルダ）３３ｂとともに、通知用ファイル４０ｃが格納された動画フォルダ（Ｖｉｄｅｏ）３３内を表示した場合の、コンテンツ選択画面５０の例を示している。また、図６には、複数のテキストコンテンツファイル３１ａとともに、通知用ファイル４０ａが格納されたテキストフォルダ（お知らせ）３１内を表示した場合の、コンテンツ選択画面５０の例を示している。また、図７には、音声コンテンツファイル３２ａとともに、通知用ファイル４０ｂが格納された音声フォルダ（Ａｕｄｉｏ）３２内を表示した場合の、コンテンツ選択画面５０の例を示している。また、図８には、複数の画像コンテンツファイル３４ａとともに、通知用ファイル４０ｅが格納された画像フォルダ（Ｐｈｏｔｏ）３４内を表示した場合の、コンテンツ選択画面５０の例を示している。
【００４２】
また、図２に示すように制御部１３は、ハードディスクレコーダ１０１が異常状態（記憶制限状態または配信制限状態）であるか否かを常時判断する制御を行うように構成されている。また、制御部１３は、ハードディスクレコーダ１０１が異常状態に該当しなくなったと判断した場合には、通知用ファイル４０を消去する制御を行うように構成されている。また、制御部１３は、通知用メッセージが作成されているか否かを判断する制御を行うように構成されている。なお、これらの制御については、後述する通知用ファイル４０の作成処理および消去処理（図１０参照）の説明とともに詳述する。
【００４３】
次に、ハードディスクレコーダ１０１のその他の構成について説明する。
【００４４】
図２に示すように、ハードディスクレコーダ１０１は、復調部２０と、信号処理部２１と、ＯＳＤ生成部２２と、映像処理部２３と、接続部２４と、ＲＯＭ２５と、ＲＡＭ２６とをさらに備えている。
【００４５】
復調部２０は、受信部１０により受信された放送波を復調して、映像情報、音声情報および電子番組表７０（図１１参照）を構成するための番組情報をデジタル信号として信号処理部２１に出力するように構成されている。
【００４６】
信号処理部２１は、入力された映像データ、音声データおよび電子番組表７０を構成するための番組情報のデータを各々のデータに分離するように構成されている。
【００４７】
また、信号処理部２１は、放送番組を視聴する場合には、分離した音声データを通信部１２に出力するとともに、分離した映像情報を映像処理部２３を介して通信部１２に出力するように構成されている。また、信号処理部２１は、電子番組表７０を構成するためのデータを制御部１３に出力するように構成されている。
【００４８】
また、信号処理部２１は、放送番組を録画する場合には、分離した音声データおよび映像情報を制御部１３に出力するように構成されている。そして、制御部１３は、信号処理部２１からの音声情報および映像情報を内部記憶部１１に記憶させるように構成されている。
【００４９】
また、信号処理部２１は、録画した放送番組を再生する場合には、録画した放送番組の映像情報および音声情報を、制御部１３を介して、内部記憶部１１から取得して、音声情報を通信部１２に出力するとともに、映像情報を映像処理部２３を介して通信部１２に出力するように構成されている。
【００５０】
ＯＳＤ生成部２２は、制御部１３の制御に基づいて、受信部１０により受信された映像情報に基づく映像に合成されるＯＳＤ（Ｏｎ  Ｓｃｒｅｅｎ  Ｄｉｓｐｌａｙ）映像（画質設定画面、電子番組表７０などの映像）のためのＯＳＤ情報を生成するように構成されている。また、ＯＳＤ生成部２２は、生成したＯＳＤ情報を映像処理部２３に出力するように構成されている。
【００５１】
映像処理部２３は、信号処理部２１からの映像情報と、ＯＳＤ生成部２２からのＯＳＤ情報とを合成するとともに、通信部１２に出力するように構成されている。
【００５２】
接続部２４には、所定規格に基づくケーブル９０の一方端が接続され、ケーブル９０の他方端には、外部記憶装置９１が接続されている。この外部記憶装置９１は、内部記憶部１１と同様に、通常録画機能および自動録画機能のいずれかの機能により放送番組の情報を録画（記憶）可能に構成されている。
【００５３】
ＲＯＭ２５は、後述する通知用ファイル４０の作成処理および消去処理（図１０参照）のためのプログラムなどが格納されるように構成されている。ＲＡＭ２６は、通知用ファイル４０の作成処理および消去処理のためのプログラムが制御部１３により実行される際などに作業領域として利用されるように構成されている。
【００５４】
次に、制御部１３により作成された通知用ファイル４０のテレビジョン装置１０２の表示画面１０２ａへの表示方法について説明する。なお、表示のための操作は、ユーザがテレビジョン装置１０２を操作することにより行われる。また、表示のための操作には、テレビジョン装置１０２付属のリモコンによる操作が含まれる。
【００５５】
まず、図５に示すように、制御部１３により、ハードディスクレコーダ１０１の異常状態が検知されて、通知用ファイル４０が作成される。また、制御部１３により、コンテンツデータのコンテンツ名（たとえば、ｎｅｗｓＸＸＸ、ＹＹＹｓｐｏｒｔなど）とともに参照可能なように通知用ファイル４０が内部記憶部１１に記憶される。この際、制御部１３により、テキストフォルダ（お知らせ）名が、「お知らせ」（図示せず）から「お知らせ＿ＮＥＷ」（図３参照）に変更される。
【００５６】
そして、動画フォルダ（Ｖｉｄｅｏ）３３が開かれると、テレビジョン装置１０２の表示画面１０２ａにコンテンツ選択画面５０が表示される。このコンテンツ選択画面５０においては、ルートフォルダ３０の下位フォルダである動画フォルダ（Ｖｉｄｅｏ）３３の中身が、リスト形式で表示される。なお、上記の通り、通知用ファイル４０（通知用の動画ファイル）は、ユーザに視認されやすいリストの一番上側の位置に配置される。
【００５７】
さらに、コンテンツ選択画面５０において通知用ファイル４０が選択される（開かれる）と、異常状態を通知するための動画が再生される。たとえば、図９に示すように、動画としては、異常状態の詳細についてのコメント４１が付された静止画像が動画形式で表示される。
【００５８】
なお、図５〜図８に示すように、制御部１３により、画像フォルダ３４、音声フォルダ３２およびテキストフォルダ３１内においても、動画フォルダ３３と同様に通知用ファイル４０が作成される。また、画像形式およびテキスト形式の通知用ファイル４０が選択されると、動画と同様の画面表示により異常状態の詳細についてのコメント４１が表示される。また、音声形式の通知用ファイル４０が選択されると、異常状態の詳細についてのコメント４１がテレビジョン装置１０２のスピーカ１０２ｂから出力される。
【００５９】
次に、図２および図１０を参照して、ハードディスクレコーダ１０１の制御部１３による通知用ファイル４０の作成処理および消去処理についてフローチャートに基づいて説明する。なお、説明は、通知用ファイル４０が作成されていない状態から、通知用ファイル４０が作成されて、消去されるまでのフローについて行う。
【００６０】
まず、図１０のステップＳ１１において、制御部１３により、ハードディスクレコーダ１０１が録画制限状態に該当するか否かが判断される。録画制限状態に該当しないと判断された場合には、ステップＳ１２に進む。また、録画制限状態に該当すると判断された場合には、ステップＳ１３に進む。たとえば、内部記憶部１１の記憶容量が一杯である場合には、録画制限状態であると判断される。
【００６１】
そして、ステップＳ１２において、制御部１３により、ハードディスクレコーダ１０１が配信制限状態に該当するか否かが判断される。配信制限状態に該当しないと判断された場合には、ステップＳ１４に進む。すなわち、録画制限状態および配信制限状態のいずれにも該当しない正常な状態と判断される場合には、ステップＳ１４に進む。また、配信制限状態に該当しないと判断された場合には、ステップＳ１３に進む。
【００６２】
そして、ステップＳ１３において、制御部１３により、異常状態（録画制限状態または配信制限状態）に関する通知用ファイル４０が作成される。通知用ファイル４０（４０ａ〜４０ｅ）は、動画ファイル、画像ファイル、音声ファイルおよびテキストファイルの各種形式により作成される。なお、制御部１３により、作成された動画ファイル、画像ファイル、音声ファイルおよびテキストファイルは、それぞれ、動画フォルダ（Ｖｉｄｅｏ）３３、画像フォルダ（Ｐｈｏｔｏ）３４、音声フォルダ（Ａｕｄｉｏ）３２およびテキストフォルダ（お知らせ）３１に格納される。また、ルートフォルダ３０内のテキストフォルダ名が「お知らせ＿ＮＥＷ」に変更される。そして、再び、ステップＳ１１に戻り、ステップＳ１１からの処理が繰り返し継続される。
【００６３】
また、ステップＳ１４では、制御部１３により、通知用ファイル４０が現時点で作成されているか否かが判断される。通知用ファイル４０が現時点で作成されていないと判断される場合には、ステップＳ１１に戻り、ステップＳ１１からの処理が繰り返し継続される。また、通知用ファイル４０が現時点で作成されていると判断される場合には、ステップＳ１５に進む。
【００６４】
そして、ステップＳ１５において、制御部１３により、動画フォルダ３３、画像フォルダ３４、音声フォルダ３２およびテキストフォルダ３１のそれぞれに格納された通知用ファイル４０が消去される。この際、未だテキストフォルダ名が「お知らせ＿ＮＥＷ」であるならば、制御部１３により、テキストフォルダ名が元の「お知らせ」に変更される。そして、再び、ステップＳ１１に戻り、ステップＳ１１からの処理が繰り返し継続される。
【００６５】
第１実施形態では、以下のような効果を得ることができる。
【００６６】
第１実施形態では、上記のように、制御部１３により、ハードディスクレコーダ１０１の異常状態に関する通知用ファイル４０を作成して、通信ネットワーク内におけるテレビジョン装置１０２側のコンテンツ選択画面５０により、コンテンツデータのコンテンツ名とともに通知用ファイル４０を参照可能なように内部記憶部１１に記憶する。これにより、テレビジョン装置１０２によりコンテンツデータを再生する場合に、ユーザは、コンテンツ名を参照（コンテンツを再生）するためにコンテンツ選択画面５０を必ず表示させるので、テレビジョン装置１０２の操作時においてユーザに頻繁に視認される画面に、通知用ファイル４０を表示させることができる。その結果、コンテンツデータの再生操作前に、ユーザに通知用ファイル４０を参照させることができるので、ハードディスクレコーダ１０１が異常状態にあることをコンテンツ選択画面５０においてユーザに把握させることができる。また、従来のようにサーバ名を変更する場合と異なり、独立したメッセージとして表示させることによって、ユーザに気付きやすくすることができるので、ハードディスクレコーダ１０１が異常状態にあることをユーザに容易に把握させることができる。
【００６７】
また、第１実施形態では、上記のように、異常状態に関する通知用ファイル４０に、テレビジョン装置１０２へのコンテンツデータの配信が制限される配信制限状態、および、内部記憶部１１へのコンテンツデータの記憶が制限される記憶制限状態に関する通知用ファイル４０を設ける。これにより、ユーザに具体的な問題点を把握させることができるので、ユーザに種々の異常状態に応じた適切な対応を取らせることができる。
【００６８】
また、第１実施形態では、上記のように、通知用ファイル４０を作成し、内部記憶部１１に記憶させている場合において、異常状態に該当しなくなったと判断した場合には、通知用ファイル４０を消去するように、制御部１３を構成する。これにより、異常状態に該当しない場合において、通知用ファイル４０が内部記憶部１１に記憶されている（残されている）ことがなくなるので、異常状態が解消したにもかかわらず、ユーザに誤って異常状態にあると認識させることを防止することができる。
【００６９】
また、第１実施形態では、上記のように、通知用ファイル４０を、画像ファイル、音声ファイル、動画ファイルおよびテキストファイルの各種ファイル形式で作成する。これにより、テレビジョン装置１０２で一般に再生可能なコンテンツデータと同じファイル形式で通知用ファイル４０を作成することができる。この結果、ハードディスクレコーダ１０１に対して対応可能なテレビジョン装置１０２を限定することなく、ユーザに通知用ファイル４０を参照させることができる。
【００７０】
また、第１実施形態では、上記のように、内部記憶部１１が、テキストファイル、音声ファイル、動画ファイルおよび画像ファイルをそれぞれ格納するテキストフォルダ３１、音声フォルダ３２、動画フォルダ３３および画像フォルダ３４を、ルートフォルダ３０内に有し、テキストフォルダ３１、音声フォルダ３２、動画フォルダ３３および画像フォルダ３４に、それぞれ、通知用ファイル４０を格納する。これにより、各種形式のファイルが各種フォルダに分類される場合でも、コンテンツ選択画面５０において、通知用ファイル４０を他のコンテンツデータと共に参照させることができる。
【００７１】
また、第１実施形態では、上記のように、ハードディスクレコーダ１０１を、ＤＬＮＡ規格に準拠させ、制御部１３を、ＤＬＮＡ規格に準拠させたテレビジョン装置１０２としてのディジタルメディアプレーヤにより通知用ファイル４０を参照可能なように、通知用ファイル４０を内部記憶部１１に記憶させるように構成する。これにより、ＤＬＮＡ規格に対応する多様な再生機器により通知用ファイル４０をユーザに参照させることができる。
【００７２】
（第２実施形態）
次に、図１、図２、図１１および図１２を参照して、第２実施形態について説明する。この第２実施形態では、コンテンツ選択画面５０に異常状態に関する通知用ファイル４０を表示した上記第１実施形態と異なり、電子番組表７０において録画された放送番組を選択することにより表示されるコンテンツ表示画面２５０に異常状態に関する通知用メッセージ２４０を表示する例について説明する。なお、上記第１実施形態と同様の構成は、第１実施形態と同じ符号を付して図示するとともに説明を省略する。
【００７３】
図１および図２に示すように、第２実施形態によるコンテンツ配信システム２００は、ハードディスクレコーダ２０１と、テレビジョン装置１０２とを備えている。なお、ハードディスクレコーダ２０１は、本発明の「コンテンツ配信サーバ装置」の一例である。
【００７４】
第２実施形態では、ハードディスクレコーダ２０１の制御部２１３は、受信部１０において受信した放送番組のコンテンツデータを内部記憶部１１に記憶させるように構成されている。また、制御部２１３は、通知用メッセージ２４０の異常状態に関する情報を、受信部１０より受信された放送番組の電子番組表７０を選択することにより表示される番組情報と共に参照可能なように内部記憶部１１に記憶させるように構成されている。
【００７５】
詳細には、図１１に示すように、制御部２１３は、電子番組表７０を生成するように構成されている。この電子番組表７０には、自動録画設定に基づき録画済みの放送番組（番組Ａ〜番組Ｏ）が選択可能に表示されている。そして、制御部２１３は、番組Ａの枠が選択されると、図１２に示すように、放送番組の開始終了時間などの番組情報と共に異常状態に関する通知用メッセージ２４０を、コンテンツ表示画面２５０に表示するように構成されている。
【００７６】
また、制御部２１３は、コンテンツ表示画面２５０において、下側に位置する「見る」２６０または「続き再生」２６１が選択されることにより、番組情報を参照中の録画された放送番組のコンテンツデータを、テレビジョン装置１０２に再生させることが可能なように構成されている。
【００７７】
第２実施形態のその他の構成は、上記第１実施形態と同様である。
【００７８】
第２施形態では、以下のような効果を得ることができる。
【００７９】
第２実施形態では、上記第１実施形態と同様に、制御部２１３により、ハードディスクレコーダ１０１の異常状態に関する通知用メッセージ２５０を作成して、通信ネットワーク内におけるテレビジョン装置１０２側のコンテンツ表示画面２５０により、コンテンツデータのコンテンツ名とともに通知用メッセージ２５０を参照可能なように内部記憶部１１に記憶する。これにより、ハードディスクレコーダ２０１が異常状態にあることをコンテンツ表示画面２５０においてユーザに把握させることができる。
【００８０】
また、第１実施形態では、上記のように、放送番組を受信する受信部１０を設け、制御部１３を、受信部１０において受信した放送番組のコンテンツデータを内部記憶部１１に記憶させ、通知用メッセージ２５０の異常状態に関する情報を、受信部１０より受信された放送番組の電子番組表７０を選択することにより表示される番組情報と共に参照可能なように内部記憶部１１に記憶させるように構成する。これにより、電子番組表７０を選択することにより、番組情報を参照させることができるとともに、ハードディスクレコーダ２０１が異常状態にあることをコンテンツ表示画面２５０においてユーザに把握させることができる。
【００８１】
（第３実施形態）
次に、図１３および図１４を参照して、第３実施形態について説明する。この第３実施形態では、コンテンツ配信システム１００がハードディスクレコーダ１０１とテレビジョン装置１０２とを備える上記第１実施形態と異なり、コンテンツ配信システム３００がハードディスクレコーダ３０１とテレビジョン装置３０２とスマートフォン３０３とを備える例について説明する。なお、上記第１実施形態と同様の構成は、第１実施形態と同じ符号を付して図示するとともに説明を省略する。
【００８２】
図１３に示すように、第３実施形態によるコンテンツ配信システム３００は、ハードディスクレコーダ３０１と、テレビジョン装置３０２と、スマートフォン３０３とを備えている。なお、ハードディスクレコーダ３０１は、本発明の「コンテンツ配信サーバ装置」の一例である。また、テレビジョン装置３０２は、本発明の「再生機器」の一例である。
【００８３】
これらのハードディスクレコーダ３０１、テレビジョン装置３０２およびスマートフォン３０３は、共に、ＤＬＮＡ規格に準拠している。また、ハードディスクレコーダ３０１は、ネットワーク内において、ディジタルメディアサーバ（ＤＭＳ）として機能する。また、テレビジョン装置３０２は、ネットワーク内において、ディジタルメディアレンダラ（ＤＭＲ）として機能する。また、スマートフォン３０３は、ネットワーク内において、ディジタルメディアコントローラ（ＤＭＣ）として機能する。
【００８４】
また、図１４に示すように、ハードディスクレコーダ３０１は、通信部３１２を有している。通信部３１２は、無線ＬＡＮ（Ｌｏｃａｌ  Ａｒｅａ  Ｎｅｔｗｏｒｋ）により、テレビジョン装置３０２およびスマートフォン３０３のそれぞれの通信部（図示せず）と通信可能に接続されている。
【００８５】
テレビジョン装置３０２は、表示画面１０２ａにより、ハードディスクレコーダ３０１から配信されたコンテンツデータに基づいて、動画や画像を出力（再生）するように構成されている。
【００８６】
スマートフォン３０３は、コントローラとしてハードディスクレコーダ３０１を操作することが可能なように構成されている。また、スマートフォン３０３は、タッチパネル３０３ａによりハードディスクレコーダ３０１を操作するように構成されている。なお、上記第１および第２実施形態において説明したコンテンツ選択画面５０およびコンテンツ表示画面２５０は、ＤＭＲであるテレビジョン装置３０２に表示される。
【００８７】
第３実施形態のその他の構成は、上記第１実施形態と同様である。
【００８８】
第３施形態では、以下のような効果を得ることができる。
【００８９】
第３実施形態では、上記第１実施形態と同様に、制御部１３により、ハードディスク装３０１の異常状態に関する通知用ファイル４０を作成して、通信ネットワーク内におけるテレビジョン装置３０２側のコンテンツ選択画面５０により、コンテンツデータのコンテンツ名とともに通知用ファイル４０を参照可能なように内部記憶部１１に記憶する。これにより、ハードディスクレコーダ３０１が異常状態にあることをコンテンツ選択画面５０においてユーザに把握させることができる。
【００９０】
また、第３実施形態では、上記のように、ハードディスクレコーダ３０１を、ＤＬＮＡ規格に準拠させ、制御部１３を、デジタルメディアコントローラ（スマートフォン３０３）により操作される再生機器としてのデジタルメディアレンダラ（テレビジョン装置３０２）により通知用ファイル４０を参照可能なように、通知用ファイル４０を内部記憶部１１に記憶させるように構成する。これにより、ＤＬＮＡ規格に対応する多様な再生機器により通知用ファイル４０をユーザに参照させることができる。
【００９１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９２】
また、上記第１〜第３実施形態では、ハードディスクレコーダに本発明を適用した例を示したが、ハードディスクレコーダ以外のサーバ機能を有する機器に本発明を適用してもよい。たとえば、ハードディスクレコーダに代えて受信部を備えないサーバ装置や、ＮＡＳ（Ｎｅｔｗｏｒｋ  Ａｔｔａｃｈｅｄ  Ｓｔｏｒａｇｅ）装置に本発明を適用してもよい。
【００９３】
また、上記第１〜第３実施形態では、再生機器をテレビジョン装置とした例について示したが、本発明はこれに限られない。本発明では、たとえば、再生機器をスマートフォンとしてもよい。
【００９４】
また、上記第１〜第３実施形態では、コンテンツ配信サーバ装置とテレビジョン装置とが無線方式により通信する例について示したが、本発明はこれに限られない。本発明では、有線方式で通信してもよい。
【００９５】
また、上記第１〜第３実施形態では、コンテンツ配信システムはＤＬＮＡ規格に準拠する例について示したが、本発明はこれに限られない。本発明では、コンテンツ配信システムはＤＬＮＡ規格に準拠していないホームネットワークであってもよい。
【符号の説明】
【００９６】
１０  受信部
１１  内部記憶部（記憶部）
１２、３１２  通信部
１３、２１３  制御部
３０  ルートフォルダ
３１  テキストフォルダ
３２  音声フォルダ
３３  動画フォルダ
３４  画像フォルダ
４０（４０ａ〜４０ｅ）  通知用ファイル
５０  コンテンツ選択画面
７０  電子番組表（番組表）
１００、２００、３００  コンテンツ配信システム
１０１、２０１、３０１  ハードディスクレコーダ（コンテンツ配信サーバ装置）
１０２、３０２  テレビジョン装置（再生機器）
２４０  通知用メッセージ
２５０  コンテンツ表示画面
３０３  スマートフォン
【図１】
2015226093.tif 000003
【図２】
2015226093.tif 000004
【図３】
2015226093.tif 000005
【図４】
2015226093.tif 000006
【図５】
2015226093.tif 000007
【図６】
2015226093.tif 000008
【図７】
2015226093.tif 000009
【図８】
2015226093.tif 000010
【図９】
2015226093.tif 000011
【図１０】
2015226093.tif 000012
【図１１】
2015226093.tif 000013
【図１２】
2015226093.tif 000014
【図１３】
2015226093.tif 000015
【図１４】
2015226093.tif 000016